(57)【要約】【課題】ロアバックパネルの箱型閉じ断面部の下パネル部を効率よく補強して下パネル部の座屈変形を抑制することができるジャッキアップブラケットの取付構造を提供する。【解決手段】車両のロアバックパネル１０の上部に箱型閉じ断面部１１が形成される。ロアバックパネル１０の後面に固着されるジャッキアップブラケット３０の上端部が箱型閉じ断面部１１の下パネル部１２下面に固着される。箱型閉じ断面部１１の内部には、ジャッキアップブラケット３０の上方に対応する位置において補強体４０が内設される。補強体４０には、ジャッキアップブラケット３０の上方に対応する位置で上方に延びる突出部４１が形成される。突出部４１の下端部は、箱型閉じ断面部１１の下パネル部１２を間に挟んでジャッキアップブラケット３０の上端部に固着される。【選択図】図１
2014136506.tif 000002
【特許請求の範囲】
【請求項１】
車両のロアバックパネルの上部に横方向に延びる箱型閉じ断面部が形成され、前記ロアバックパネルの後面に固着されて上下方向に延びるジャッキアップブラケットの上端部が前記箱型閉じ断面部の下パネル部下面に固着されるジャッキアップブラケットの取付構造であって、
前記箱型閉じ断面部の内部には、前記ジャッキアップブラケットの上方に対応する位置において補強体が内設され、
前記補強体には、前記ジャッキアップブラケットの上方に対応する位置で上方に延びる突出部が形成され、
前記突出部の下端部は、前記箱型閉じ断面部の下パネル部を間に挟んで前記ジャッキアップブラケットの上端部に固着されていることを特徴とするジャッキアップブラケットの取付構造。
【請求項２】
請求項１に記載のジャッキアップブラケットの取付構造であって、
補強体の突出部の下端部と、ジャッキアップブラケットの上端部との相互には、箱型閉じ断面部の下パネル部を間に挟んで井型状に合せられて接合される接合フランジがそれぞれ形成されていることを特徴とするジャッキアップブラケットの取付構造。
【請求項３】
請求項１又は２に記載のジャッキアップブラケットの取付構造であって、
ジャッキアップブラケットは、左右の両側壁部と、後壁部と、これら左右の両側壁部及び後壁部の下端部に設けられ、かつジャッキアップポイントをもつ底壁部とを有し、
補強体の突出部は、前記ジャッキアップブラケットの左右の両側壁部の間隔よりも大きい間隔を隔てる左右の両側壁部と、後壁部とを有する前側突出部と、この前側突出部の後壁部の幅方向中央部から後方へ向けて突出されかつ前記ジャッキアップブラケットの左右の両側壁部の間隔よりも小さい間隔を隔てる左右の両側壁部と、後壁部とを有する後側突出部とを一体に備えた段差凸状に形成されていることを特徴とするジャッキアップブラケットの取付構造。
【発明の詳細な説明】
【技術分野】
【０００１】
この発明はジャッキアップブラケットの取付構造に関する。
【背景技術】
【０００２】
従来、図６に示すように、車両のロアバックパネル２１０の上部に補強パネル２１５が固着されて横方向に延びる箱型閉じ断面部２１１が形成され、ロアバックパネル２１０の後面に固着されて上下方向に延びるジャッキアップブラケット２３０の上端が、横方向の箱型閉じ断面部２１１の下面、および接合フランジ２３７により箱型閉じ断面部２１１の後側をなす後パネル部２１３の後面に固着されたものがある。
このような構造のジャッキアップブラケットの取付構造には、例えば、特許文献１に開示されている。
これに対し、図７に示すように、車両のリヤバンパ１０１とジャッキアップブラケット１３０との間に構造体１０２を配置する必要性が生じた場合、構造体１０２がジャッキアップブラケット１３０に干渉することがないように、ロアバックパネル１１０の箱型閉じ断面部１１１の下側を構成する下パネル部１１２及び上側を構成する補強パネル１１５の上パネル部１１７を前方へ延長し、この分だけ、ロアバックパネル１１０の傾斜パネル部１１０ａ及びジャッキアップブラケット１３０を前側に配置することになる。これによって、箱型閉じ断面部１１１の下パネル部１１２の下面にジャッキアップブラケット１３０の上端の接合フランジ１３７で固着されることになる。
【先行技術文献】
【特許文献】
【０００３】
【特許文献１】特開２００８−７４３５８号公報
【発明の概要】
【発明が解決しようとする課題】
【０００４】
ところで、図７に示すように、ロアバックパネル１１０の箱型閉じ断面部１１１の下パネル部１１２の下面にジャッキアップブラケット１３０の上端の接合フランジ１３７が固着される構成にした場合、ジャッキアップブラケット１３０の底壁部１３３下面のみにジャッキアップ荷重が作用すると、その荷重をジャッキアップブラケット１３０を介してロアバックパネル１１０の箱型閉じ断面部１１１の下パネル部１１２の下面で受けることになる。すなわち、上下方向の荷重を下パネル部１１２下面の面で受けることになり、下パネル部１１２が座屈変形されることが想定される。
【０００５】
この発明の目的は、前記問題点に鑑み、ロアバックパネルの箱型閉じ断面部の下パネル部を効率よく補強して下パネル部の座屈変形を抑制することができるジャッキアップブラケットの取付構造を提供することである。
【課題を解決するための手段】
【０００６】
前記課題を解決するために、この発明の請求項１に係るジャッキアップブラケットの取付構造は、車両のロアバックパネルの上部に横方向に延びる箱型閉じ断面部が形成され、前記ロアバックパネルの後面に固着されて上下方向に延びるジャッキアップブラケットの上端部が前記箱型閉じ断面部の下パネル部下面に固着されるジャッキアップブラケットの取付構造であって、
前記箱型閉じ断面部の内部には、前記ジャッキアップブラケットの上方に対応する位置において補強体が内設され、
前記補強体には、前記ジャッキアップブラケットの上方に対応する位置で上方に延びる突出部が形成され、
前記突出部の下端部は、前記箱型閉じ断面部の下パネル部を間に挟んで前記ジャッキアップブラケットの上端部に固着されていることを特徴とする。
【０００７】
前記構成によると、ジャッキアップブラケットの底壁部下面にジャッキアップ荷重が作用すると、その荷重をジャッキアップブラケットを介してロアバックパネルの箱型閉じ断面部の下パネル部の下面で受ける。
この際、箱型閉じ断面部に内設された補強体の上下方向に延びる突出部によって下パネル部を支持することができる。これによって、下パネル部の座屈変形を抑制することができる。
すなわち、ロアバックパネルの横方向に延びる箱型閉じ断面部の内部に対し、ジャッキアップブラケットの上方に対応する位置で上方に延びる突出部を有する補強体を配設するという極めて簡単な構造によって、下パネル部の座屈変形を効率よく抑制することができる。
【０００８】
請求項２に係るジャッキアップブラケットの取付構造は、請求項１に記載のジャッキアップブラケットの取付構造であって、
補強体の突出部の下端部と、ジャッキアップブラケットの上端部との相互には、箱型閉じ断面部の下パネル部を間に挟んで井型状に合せられて接合される接合フランジがそれぞれ形成されていることを特徴とする。
【０００９】
前記構成によると、補強体の突出部の下端部の接合フランジと、ジャッキアップブラケットの上端部の接合フランジとを、ロアバックパネルの横方向に延びる箱型閉じ断面部の下パネル部を間に挟んで井型状に合せて接合することによって、両接合フランジを安定よく接合することができる。これによって、箱型閉じ断面部の下パネル部の座屈変形の抑制に効果が大きい。
【００１０】
請求項３に係るジャッキアップブラケットの取付構造は、請求項１又は２に記載のジャッキアップブラケットの取付構造であって、
ジャッキアップブラケットは、左右の両側壁部と、後壁部と、これら左右の両側壁部及び後壁部の下端部に設けられ、かつジャッキアップポイントをもつ底壁部とを有し、
補強体の突出部は、前記ジャッキアップブラケットの左右の両側壁部の間隔よりも大きい間隔を隔てる左右の両側壁部と、後壁部とを有する前側突出部と、この前側突出部の後壁部の幅方向中央部から後方へ向けて突出されかつ前記ジャッキアップブラケットの左右の両側壁部の間隔よりも小さい間隔を隔てる左右の両側壁部と、後壁部とを有する後側突出部とを一体に備えた段差凸状に形成されていることを特徴とする。
【００１１】
前記構成によると、ジャッキアップブラケットの左右の両側壁部及び後壁部に伝達されるジャッキアップ荷重を、補強体の前側突出部及び後側突出部によって良好に受けることができる。
これによって、ロアバックパネルの箱型閉じ断面部の下パネル部の座屈変形をより一層良好に抑制することができる。
【図面の簡単な説明】
【００１２】
【図１】この発明の実施例１に係るジャッキアップブラケットの取付構造を示す側断面である。
【図２】同じくロアバックパネルの箱型閉じ断面部とジャッキアップブラケットと補強体との関係を車両の後方から示す斜視図である。
【図３】同じくロアバックパネルの箱型閉じ断面部とジャッキアップブラケットと補強体との関係を示す車両の後方から示す正面図である。
【図４】同じく補強体を示す斜視図である。
【図５】同じく図４のＶ−Ｖ線に沿う補強体の平断面図である。
【図６】従来のジャッキアップブラケットの取付構造を示す側断面である。
【図７】先行技術のジャッキアップブラケットの取付構造を示す側断面である。
【発明を実施するための形態】
【００１３】
この発明を実施するための形態について実施例にしたがって説明する。
【実施例１】
【００１４】
この発明の実施例１を図１〜図５にしたがって説明する。
図１に示すように、車両の後部に配置されて車体の後下部を構成するロアバックパネル１０は、その上部に補強パネル１５が固着されて横方向に延びる箱型閉じ断面部１１が形成されている。
箱型閉じ断面部１１を構成する上下及び前後の各パネル部のうち、下パネル部１２及び後パネル部１３は、ロアバックパネル１０の上部に形成され、前パネル部１６及び上パネル部１７は補強パネル１５に形成されている。
【００１５】
また、ロアバックパネル１０の箱型閉じ断面部１１の下側を構成する下パネル部１２及び上側を構成する上パネル部１７は、後述するジャッキアップブラケット３０より大きな前後幅を有し、この分だけ、後述するジャッキアップブラケット３０が前側に配置されている。
これによって、車両のリヤバンパ１とジャッキアップブラケット３０との間に構造体２を配置できる空間が形成される。
また、箱型閉じ断面部１１の上パネル部１７は、後側から前側に向かって急勾配の下向き傾斜状に形成されている。
これによって、フィニッシュプレート３が車室の後方に位置して配置可能とされ、ラゲッジスペースを後方へ拡張可能とされている。
【００１６】
図１〜図３に示すように、ジャッキアップブラケット３０は、ロアバックパネル１０の傾斜パネル部１０ａの後面に固着されて上下方向に延びる。
また、ジャッキアップブラケット３０は、左右の両側壁部３１と、これら両側壁部３１の後端を繋ぐ後壁部３２とを有して横断面でＵ字状に形成され、両側壁部３１には、接合フランジ３６がそれぞれ形成され、これら接合フランジ３６において、ロアバックパネル１０の傾斜パネル部１０ａの後面に溶接等によって固着されている。
【００１７】
また、ジャッキアップブラケット３０の下端部には、ジャッキアップポイントをもつ底壁部３３と、この底壁部３３の前端から傾斜パネル部１０ａの下部後面に沿って折り返された折返し部３４が一体に形成されている。この折返し部３４は、傾斜パネル部１０ａの下部後面に溶接等によって固着されている。
ジャッキアップブラケット３０の左右の両側壁部３１及び後壁部３２の上端には、箱型閉じ断面部１１の下パネル部１２の下面に沿って逆Ｕ字状をなす接合フランジ３７が延出されている。そして、ジャッキアップブラケット３０の接合フランジ３７は、下パネル部１２の下面に溶接等によって固着されている。
【００１８】
図１に示すように、ロアバックパネル１０の箱型閉じ断面部１１の内部には、ジャッキアップブラケット３０の上方に対応する位置において補強体４０が内設されている。
補強体４０は、鋼板がプレス加工されることで形成され、その板面の中央部には、ジャッキアップブラケット３０の上方に対応する位置で上方に延びる突出部４１が後方へ向けて突出されている。
突出部４１の下端部には、左右方向に延びる接合フランジ４５が形成されている。そして、突出部４１下端部は、その接合フランジ４５において箱型閉じ断面部１１の下パネル部１２を間に挟んでジャッキアップブラケット３０の上端部の接合フランジ３７と溶接等によって固着されている。
【００１９】
この実施例１において、図３に示すように、補強体４０の突出部４１の下端部の接合フランジ４５と、ジャッキアップブラケット３０の上端部の接合フランジ３７とが箱型閉じ断面部１１の下パネル部１２を間に挟んで井型状に交差して合せられた状態で溶接等によって固着されている。
【００２０】
また、図１に示すように、補強体４０の突出部４１の上端部には、接合フランジ４９が形成されている。そして、突出部４１の上端部は、その接合フランジ４９が箱型閉じ断面部１１の後パネル部１３の上端の接合フランジ１８と上パネル部１７上端の接合フランジ１９との間に挟まれた状態で溶接等によって固着されている。
【００２１】
また、この実施例１において、図３と図４に示すように、補強体４０の突出部４１は、ジャッキアップブラケット３０の左右の両側壁部３１の間隔よりも大きい間隔を隔てる左右の両側壁部４３と、後壁部４４とを有する前側突出部４２と、この前側突出部４２の後壁部４４の幅方向中央部から後方へ向けて突出されかつジャッキアップブラケット３０の左右の両側壁部３１の間隔よりも小さい間隔を隔てる左右の両側壁部４６と、後壁部４７と、下壁部４８とを有する後側突出部４１ａとを一体に備えた段差凸状に形成されている。
また、後側突出部４１ａの下壁部４８は、接合フランジ４５と同一面をなして連続し、これによって接合フランジ４５としても機能している。
すなわち、この実施例１において、ジャッキアップブラケット３０の上端部の逆Ｕ字状をなす接合フランジ３７の左右方向中央部が後側突出部４１ａの下壁部４８に箱型閉じ断面部１１の下パネル部１２を間に挟んで溶接等によって固着されている。
【００２２】
この実施例１に係るジャッキアップブラケットの取付構造は上述したように構成される。
したがって、ジャッキアップブラケット３０の底壁部３３下面のジャッキアップポイントにジャッキアップ荷重が作用すると、その荷重をジャッキアップブラケット３０を介してロアバックパネル１０の箱型閉じ断面部１１の下パネル部１２の下面で受ける。
この際、ロアバックパネル１０の箱型閉じ断面部１１に内設された補強体４０の上下方向に延びる突出部４１によって下パネル部１２に加わる荷重を分散し、支持することができる。これによって、下パネル部１２の座屈変形を抑制することができる。
すなわち、ロアバックパネル１０の箱型閉じ断面部１１の内部に対し、ジャッキアップブラケット３０の上方に対応する位置で上方に延びる突出部４１を有する補強体４０を配設するという極めて簡単な構造によって、下パネル部１２の座屈変形を効率よく抑制することができる。
【００２３】
また、この実施例１において、補強体４０の突出部４１下端部の接合フランジ４５と、ジャッキアップブラケット３０上端部の接合フランジ３７とを、ロアバックパネル１０の箱型閉じ断面部１１の下パネル部１２を間に挟んで井型状に交差させて合せた状態で接合している。より具体的には、ジャッキアップ荷重が強く作用するジャッキアップブラケット３０の両側壁部３１の上縁に対し、下パネル部１２を挟み、補強体４０の両側壁部４３，４６の下縁が交差するように配置されている。この為、ジャッキアップブラケット３０と補強体４０の組付時に生じる、多少の製造誤差に影響されること無く、ジャッキアップ荷重をジャッキアップブラケット３０より補強体４０に伝達することが出来る。これによって、箱型閉じ断面部１１の下パネル部１２の座屈変形の抑制に効果が大きい。
【００２４】
また、この実施例１において、補強体４０の突出部４１は、ジャッキアップブラケット３０の左右の両側壁部３１の間隔よりも大きい間隔を隔てる左右の両側壁部４３と、後壁部４４とを有する前側突出部４２と、この前側突出部４２の後壁部４４の幅方向中央部から後方へ向けて突出されかつジャッキアップブラケット３０の左右の両側壁部３１の間隔よりも小さい間隔を隔てる左右の両側壁部４６と、後壁部４７とを有する後側突出部４１ａとを一体に備えた段差凸状に形成されている。
このため、ジャッキアップブラケット３０の左右の両側壁部３１及び後壁部３２に伝達されるジャッキアップ荷重を、補強体４０の前側突出部４２及び後側突出部４１ａによって良好に受けることができる。これによって、ロアバックパネル１０の箱型閉じ断面部１１の下パネル部１２の座屈変形をより一層良好に抑制することができる。
【００２５】
なお、この発明は前記実施例１に限定するものではなく、この発明の要旨を逸脱しない範囲内において、種々の形態で実施することができる。
【００２６】
例えば、上記実施形態では、ロアバックパネル１０の上部に補強パネル１５が固着され、箱型閉じ断面部１１が形成されているが、この構造に限定されるものではない。例えば、箱型閉じ断面部を形成するパネルとロアバックパネルとが別部材であっても、本発明を適用することが出来る。別部材よりなる箱型閉じ断面部の下縁に、ロアバックパネルの上縁を接合し、ジャッキアップブラケットの左右の接合フランジはロアバックパネルと接合し、ジャッキアップブラケットの上端の接合フランジは箱型閉じ断面部と接合し、ジャッキアップブラケットの左右と上端の接合フランジとを、異なる部材に接合してもよい。
【００２７】
また、上記実施形態の補強体４０では、突出部４１の上端部の上端を、箱型閉じ断面部１１の接合フランジ１８と接合フランジ１９との間に挟まれた状態で溶接等によって固着しているが、補強体の構造は、これに限定されるものではない。補強体は、ジャッキアップブラケットより下パネル部の下面に加わる荷重を、他の箇所に伝達し、荷重を分散して支持できればよく、一例としては、接合フランジに挟む代わりに、補強体の一部を後パネル部に溶接する構造としてもよい。
【符号の説明】
【００２８】
１０  ロアバックパネル
１１  箱型閉じ断面部
１２  下パネル部
１５  補強パネル
３０  ジャッキアップブラケット
３１  側壁部
３２  後壁部
３３  底壁部
３７  接合フランジ
４０  補強体
４１  突出部
４５  接合フランジ
【図１】
2014136506.tif 000003
【図２】
2014136506.tif 000004
【図３】
2014136506.tif 000005
【図４】
2014136506.tif 000006
【図５】
2014136506.tif 000007
【図６】
2014136506.tif 000008
【図７】
2014136506.tif 000009